(57)【要約】【課題】  無線通信可能が不可能なエリアに存在する携帯通信端末に対して、災害に関する緊急警報等の重要情報の配信を行うことができる情報配信システムを提供する。【解決手段】  照明装置の制御を行う照明制御装置が、配信情報の内容と照明装置の位置に応じて、情報配信要否及び付加情報要否を判定して照明装置の制御を行い、その制御によって携帯電話通信可能エリア外に設置された照明装置が可視光を出射し、携帯電話通信可能エリア外にある携帯通信端末がその可視光を受信することにより、緊急／警告情報の配信を行う。【選択図】  図１
2006135859.tif 000002
【特許請求の範囲】
【請求項１】
プログラム制御により動作する情報処理装置である情報配信サーバと、
前記情報配信サーバと通信ネットワークを介して接続され、かつ、無線通信圏内に設置され、プログラム制御により動作する情報処理装置である照明制御装置と、
無線通信圏外に設置される、少なくとも１以上の照明装置と、
少なくとも１以上の携帯通信端末と、を有する情報配信システムであって、
前記情報配信サーバは、
配信情報を前記照明制御装置へ送信する手段を有し、
前記照明制御装置は、
前記情報配信サーバから受信した前記配信情報を含み、かつ、前記照明装置を制御するための制御信号を送信する手段を有し、
前記照明装置は、
前記照明制御装置から受信した前記制御信号により制御され、前記制御信号に含まれる前記配信情報を可視光として送信する手段を有し、
前記携帯通信端末は、
無線通信圏外において、前記照明装置から前記可視光を一定時間間隔で受光し、前記受光した可視光を解析し、ユーザに対して前記配信情報を報知する手段を有することを特徴とする情報配信システム。
【請求項２】
前記情報配信サーバは、少なくとも１以上の情報提供装置から前記配信情報を取得することを特徴とする請求項１記載の情報配信システム。
【請求項３】
前記照明制御装置は、中継装置及び無線基地局を介して前記配信情報を受信することを特徴とする請求項１又は２記載の情報配信システム。
【請求項４】
前記照明制御装置は、
前記情報配信サーバから前記配信情報を受信する情報通信部と、
前記情報通信部が受信した前記配信情報、前記配信情報の配信基準である情報配信テーブル、前記照明装置を制御するための制御信号に関する照明制御情報、制御対象となる照明装置の設置位置を示す位置情報、前記配信情報に付加する付加情報、を格納する記憶部と、
前記照明装置への前記制御信号の出力制御を行う照明装置通信部と、
前記各部を制御する制御部と、
を有することを特徴とする請求項１から３のいずれか１項に記載の情報配信システム。
【請求項５】
前記照明制御装置の制御部は、前記通信ネットワークを介して前記配信情報を受信した場合、前記配信情報及び前記情報配信テーブルに基づいて、緊急事態の事象内容と、前記緊急事態の事象発生位置とを判定して、前記照明装置による前記可視光の送信の要否を判定することを特徴とする請求項４記載の情報配信システム。
【請求項６】
前記照明制御装置の制御部は、前記配信情報及び前記位置情報に基づいて、前記照明装置と前記緊急事態の事象発生位置との距離、又は、前記照明装置の設置位置を認識し、前記照明装置による前記可視光の送信の要否を判定することを特徴とする請求項４又は５記載の情報配信システム。
【請求項７】
前記照明制御装置の制御部は、前記記憶部から読み出した前記付加情報を前記配信情報に付加し、前記配信情報及び前記付加情報を含む制御信号を前記照明装置通信部から前記照明装置へ送信するよう制御することを特徴とする請求項４から６のいずれか１項に記載の情報配信システム。
【請求項８】
前記照明装置は、前記照明制御装置からの前記制御信号に基づき、単色又は複数色のＬＥＤを高周波点滅させることにより、照明光と信号光とからなる前記可視光を前記携帯通信端末へ送信することを特徴とする請求項１から７のいずれか１項に記載の情報配信システム。
【請求項９】
前記照明装置は、所定の波長又は波長帯を取り除く手段を有し、
前記取り除いた所定の波長又は波長帯を前記信号光とすることを特徴とする請求項１から８のいずれか１項に記載の情報配信システム。
【請求項１０】
前記可視光の変調は、強度変調又は位相変調のうちいずれか一方であることを特徴とする請求項８又は９記載の情報配信システム。
【請求項１１】
前記携帯通信端末は、
前記可視光の信号光を解析する解析部と、
文字又は画像の表示出力を行う表示部と、
音声を外部出力する放音部と、を有し、
前記解析部により前記可視光の信号光を解析することにより、前記表示部及び／又は前記放音部を介して、前記配信情報を報知することを特徴とする請求項１から１０のいずれか１項に記載の情報配信システム。
【請求項１２】
前記解析部により前記可視光の信号光を解析することにより、前記表示部及び／又は前記放音部は、前記可視光として受信した前記付加情報を報知することを特徴とする請求項１１記載の情報配信システム。
【請求項１３】
前記携帯通信端末は、画像情報の取得を行う撮像部を有し、
前記撮像部は、前記照明装置から前記可視光を受光する受光部として機能することを特徴とする請求項１から１２のいずれか１項に記載の情報配信システム。
【請求項１４】
前記携帯通信端末は、前記照明装置から受光した可視光を受光する受光部を有し、
前記受光部は、前記可視光から信号光のみを取得するための波長選択フィルタを有することを特徴とする請求項１から１３のいずれか１項に記載の情報配信システム。
【請求項１５】
前記携帯通信端末は、
無線部の信号受信により無線通信圏外か否かを判定する第１の判定部と、
無線通信圏外である場合は、記憶部を参照して事前のユーザ設定により、無線通信圏外時に可視光を受信する可視光通信設定がなされているか否かを判定する第２の判定部と、を有し、
前記第１の判定部及び前記第２の判定部の結果が、無線通信圏外かつ可視光通信設定有効である場合は、前記受光部を起動して前記照明装置から前記可視光を受光することを特徴とする請求項１から１４のいずれか１項に記載の情報配信システム。
【請求項１６】
前記解析部によって前記可視光の信号光を解析した結果が、前回の解析結果と同一の情報であった場合、前記配信情報の報知を行わないように制御する第１の制御部を有することを特徴とする請求項１１から１５のいずれか１項に記載の情報配信システム。
【請求項１７】
前記解析部によって前記可視光の信号光を解析した際に、前記携帯通信端末がマナーモード設定となっている場合には、前記マナーモード設定の解除を行うとともに、前記放音部の出力設定を最大音量に設定する第２の制御部を有することを特徴とする請求項１１から１６のいずれか１項に記載の情報配信システム。
【請求項１８】
前記受光部は、フォトダイオード、ＰＩＮフォトダイオード、アバランシェフォトダイオードのうちのいずれかを備えることを特徴とする請求項１３から１５のいずれか１項に記載の情報配信システム。
【請求項１９】
情報配信サーバと通信ネットワークを介して接続され、かつ、無線通信圏内に設置され、プログラム制御により動作し、照明装置を制御する照明制御装置であって、
前記情報配信サーバから前記配信情報を受信する情報通信部と、
前記情報通信部が受信した前記配信情報、前記配信情報の配信基準である情報配信テーブル、前記照明装置を制御するための制御信号に関する照明制御情報、制御対象となる照明装置の設置位置を示す位置情報、前記配信情報に付加する付加情報、を格納する記憶部と、
前記照明装置への前記制御信号の出力制御を行う照明装置通信部と、
前記各部を制御する制御部と、
を有することを特徴とする照明制御装置。
【請求項２０】
前記情報通信部は、中継装置及び無線基地局を介して前記配信情報を受信することを特徴とする請求項１９記載の照明制御装置。
【請求項２１】
前記制御部は、前記通信ネットワークを介して前記配信情報を受信した場合、前記配信情報及び前記情報配信テーブルに基づいて、緊急事態の事象内容と、前記緊急事態の事象発生位置とを判定して、前記照明装置による前記可視光の送信の要否を判定することを特徴とする請求項１９又は２０記載の照明制御装置。
【請求項２２】
前記制御部は、前記配信情報及び前記位置情報に基づいて、前記照明装置と前記緊急事態の事象発生位置との距離、又は、前記照明装置の設置位置を認識し、前記照明装置による前記可視光の送信の要否を判定することを特徴とする請求項１９から２１のいずれか１項に記載の照明制御装置。
【請求項２３】
前記制御部は、前記記憶部から読み出した前記付加情報を前記配信情報に付加し、前記配信情報及び前記付加情報を含む制御信号を前記照明装置通信部から前記照明装置へ送信するよう制御することを特徴とする請求項１９から２２のいずれか１項に記載の照明制御装置。
【請求項２４】
インターネット通信機能を有する携帯通信端末であって、
照明装置から可視光を受光する受光部と、
前記可視光の信号光を解析する解析部と、
文字又は画像の表示出力を行う表示部と、
音声を外部出力する放音部と、を有し、
前記解析部により前記可視光の信号光を解析することにより、前記表示部及び／又は前記放音部を介して、前記配信情報を報知することを特徴とする携帯通信端末。
【請求項２５】
前記解析部により前記可視光の信号光を解析することにより、前記表示部及び／又は前記放音部は、前記可視光として受信した前記付加情報を報知することを特徴とする請求項２４記載の携帯通信端末。
【請求項２６】
画像情報の取得を行う撮像部を有し、
前記撮像部は、前記照明装置から前記可視光を受光する受光部として機能することを特徴とする請求項２４又は２５記載の携帯通信端末。
【請求項２７】
前記受光部は、前記可視光から信号光のみを取得するための波長選択フィルタを有することを特徴とする請求項２４から２６のいずれか１項に記載の携帯通信端末。
【請求項２８】
無線信号の受信により無線通信圏外か否かを判定する第１の判定部と、
無線通信圏外である場合は、各種情報を保持する記憶部を参照して事前のユーザ設定により、無線通信圏外時に可視光を受信する可視光通信設定がなされているか否かを判定する第２の判定部と、を有し、
前記第１の判定部及び前記第２の判定部の結果が、無線通信圏外かつ可視光通信設定有効である場合は、前記受光部を起動して前記照明装置から前記可視光を受光することを特徴とする請求項２４から２７のいずれか１項に記載の携帯通信端末。
【請求項２９】
前記解析部によって前記可視光の信号光を解析した結果が、前回の解析結果と同一の情報であった場合、前記配信情報の報知を行わないように制御する第１の制御部を有することを特徴とする請求項２４から２８のいずれか１項に記載の携帯通信端末。
【請求項３０】
前記解析部によって前記可視光の信号光を解析した際に、前記携帯通信端末がマナーモード設定となっている場合には、前記マナーモード設定の解除を行うとともに、前記放音部の出力設定を最大音量に設定する第２の制御部を有することを特徴とする請求項２４から２９のいずれか１項に記載の携帯通信端末。
【請求項３１】
前記受光部は、フォトダイオード、ＰＩＮフォトダイオード、アバランシェフォトダイオードのうちのいずれかを備えることを特徴とする請求項２４から３０のいずれか１項に記載の携帯通信端末。
【請求項３２】
プログラム制御により動作する情報処理装置である情報配信サーバと、
前記情報配信サーバと通信ネットワークを介して接続され、かつ、無線通信圏内に設置され、プログラム制御により動作する情報処理装置である照明制御装置と、
無線通信圏外に設置される、少なくとも１以上の照明装置と、
少なくとも１以上の携帯通信端末と、で行う情報配信方法であって、
前記情報配信サーバは、配信情報を前記照明制御装置へ送信し、
前記照明制御装置は、前記情報配信サーバから受信した前記配信情報を含み、かつ、前記照明装置を制御するための制御信号を送信し、
前記照明装置は、前記照明制御装置から受信した前記制御信号により制御され、前記制御信号に含まれる前記配信情報を可視光として送信し、
前記携帯通信端末は、無線通信圏外において、前記照明装置から前記可視光を一定時間間隔で受光し、前記受光した可視光を解析し、ユーザに対して前記配信情報を報知することを特徴とする情報配信方法。
【請求項３３】
前記情報配信サーバは、少なくとも１以上の情報提供装置から前記配信情報を取得することを特徴とする請求項３２記載の情報配信方法。
【請求項３４】
前記照明制御装置は、中継装置及び無線基地局を介して前記配信情報を受信することを特徴とする請求項３２又は３３記載の情報配信方法。
【請求項３５】
前記照明制御装置は、前記通信ネットワークを介して前記配信情報を受信した場合、前記配信情報及び前記配信情報の配信基準である情報配信テーブルに基づいて、緊急事態の事象内容と、前記緊急事態の事象発生位置とを判定して、前記照明装置による前記可視光の送信の要否を判定することを特徴とする請求項３２から３５のいずれか１項に記載の情報配信方法。
【請求項３６】
前記照明制御装置は、前記配信情報及び制御対象となる照明装置の設置位置を示す位置情報に基づいて、前記照明装置と前記緊急事態の事象発生位置との距離、又は、前記照明装置の設置位置を認識し、前記照明装置による前記可視光の送信の要否を判定することを特徴とする請求項３２から３５のいずれか１項に記載の情報配信方法。
【請求項３７】
前記照明制御装置は、付加情報を前記配信情報に付加し、前記配信情報及び前記付加情報を含む制御信号を前記照明装置通信部から前記照明装置へ送信することを特徴とする請求項３２から３５のいずれか１項に記載の情報配信方法。
【請求項３８】
前記照明装置は、前記照明制御装置からの前記制御信号に基づき、単色又は複数色のＬＥＤを高周波点滅させることにより、照明光と信号光とからなる前記可視光を前記携帯通信端末へ送信することを特徴とする請求項３２から３７のいずれか１項に記載の情報配信方法。
【請求項３９】
前記照明装置は、所定の波長又は波長帯を取り除き、前記取り除いた所定の波長又は波長帯を前記信号光とすることを特徴とする請求項３２から３８のいずれか１項に記載の情報配信方法。
【請求項４０】
前記可視光の変調は、強度変調又は位相変調のうちいずれか一方であることを特徴とする請求項３８又は３９記載の情報配信方法。
【請求項４１】
前記携帯通信端末は、前記可視光の信号光を解析し、前記解析結果に基づいて、文字又は画像の表示出力及び／又は音声を外部出力することにより、前記配信情報を報知することを特徴とする請求項３２から４０のいずれか１項に記載の情報配信方法。
【請求項４２】
前記可視光の信号光を解析し、前記解析結果に基づいて、文字又は画像の表示出力及び／又は音声を外部出力することにより、前記可視光として受信した前記付加情報を報知することを特徴とする請求項４１記載の情報配信方法。
【請求項４３】
前記携帯通信端末は、画像情報の取得を行う撮像部にて、前記照明装置から前記可視光を受光することを特徴とする請求項３２から４２のいずれか１項に記載の情報配信方法。
【請求項４４】
前記携帯通信端末は、前記照明装置から受光した可視光から信号光のみを取得することを特徴とする請求項３２から４３のいずれか１項に記載の情報配信方法。
【請求項４５】
前記携帯通信端末は、無線部の信号受信により無線通信圏外か否かを判定し、無線通信圏外である場合は、記憶部を参照して事前のユーザ設定により、無線通信圏外時に可視光を受信する可視光通信設定がなされているか否かを判定し、判定結果が、無線通信圏外かつ可視光通信設定有効である場合は、前記照明装置から前記可視光を受光することを特徴とする請求項３２から４４のいずれか１項に記載の情報配信方法。
【請求項４６】
前記可視光の信号光を解析した結果が、前回の解析結果と同一の情報であった場合、前記配信情報の報知を行わないように制御することを特徴とする請求項３２から４５のいずれか１項に記載の情報配信方法。
【請求項４７】
前記可視光の信号光を解析した際に、前記携帯通信端末がマナーモード設定となっている場合には、前記マナーモード設定の解除を行うとともに、前記放音の出力設定を最大音量に設定することを特徴とする請求項３２から４６のいずれか１項に記載の情報配信方法。
【発明の詳細な説明】
【技術分野】
【０００１】
本発明は、無線通信が不可能なエリアにおいて、可視光を利用することにより移動体通信端末装置に情報を配信する情報配信システム、照明制御装置、携帯通信端末、及び情報配信方法に関する。
【背景技術】
【０００２】
従来は、無線基地局（電波）を介して情報を受信できる場所（携帯電話通信可能エリア内）の携帯通信端末のみに情報配信が行われていた。すなわち、無線基地局（電波）を介して情報を受信できない場所（携帯電話通信可能エリア外）では、データ通信／音声通信ともにできないため、情報を送受信することができないという問題点があった。しかし、緊急警報等の公共性の高い情報については、受信のみでもできることが望ましいと考えられる。
【０００３】
一方、従来技術例として、特定のエリアにおいて通信光を利用することにより、ペースメーカに悪影響を及ぼすことなく、移動体通信端末を用いて緊急連絡、インターネット接続、又は電子メールの送受信が可能となる「光無線通信システム、移動体通信端末装置、及び、光無線通信中継装置」がある（例えば、特許文献１参照）。
【特許文献１】特開２００２−２３２３４０号公報
【発明の開示】
【発明が解決しようとする課題】
【０００４】
しかしながら、上記特許文献１記載の発明は、電波通信が不可能な特定のエリア内で移動体通信端末を使用することができるものではあるが、地震や火災等に関する緊急の警報情報を移動体通信端末で受信することはできない。
【０００５】
また、その他の従来技術として、移動体通信端末が良好な通信状態を確保できない地域にある場合に、移動体通信端末の位置やその通信環境に応じて、光、赤外線、有線／無線ＬＡＮ等の様々な手段から最適な接続手段を選択して通信を行うものもあるが、無線通信エリア外の地域（無線通信が不可能なエリア）において、地震や火災等の緊急の警報情報を移動体通信端末に対して配信するものはない。
【０００６】
本発明は、上記事情に鑑みてなされたものであり、照明装置の制御を行う照明制御装置が、配信情報の内容と照明装置の位置に応じて、情報配信要否及び付加情報要否を判定して照明装置の制御を行い、その制御によって携帯電話通信可能エリア外に設置された照明装置が可視光を出射し、携帯電話通信可能エリア外にある携帯通信端末がその可視光を受信することにより、緊急／警告情報の配信を行う情報配信システム、照明制御装置、携帯通信端末、及び情報配信方法を提供することを目的とする。
【課題を解決するための手段】
【０００７】
かかる目的を達成するために、請求項１記載の発明は、プログラム制御により動作する情報処理装置である情報配信サーバと、情報配信サーバと通信ネットワークを介して接続され、かつ、無線通信圏内に設置され、プログラム制御により動作する情報処理装置である照明制御装置と、無線通信圏外に設置される、少なくとも１以上の照明装置と、少なくとも１以上の携帯通信端末と、を有する情報配信システムであって、情報配信サーバは、配信情報を照明制御装置へ送信する手段を有し、照明制御装置は、情報配信サーバから受信した配信情報を含み、かつ、照明装置を制御するための制御信号を送信する手段を有し、照明装置は、照明制御装置から受信した制御信号により制御され、制御信号に含まれる配信情報を可視光として送信する手段を有し、携帯通信端末は、無線通信圏外において、照明装置から可視光を一定時間間隔で受光し、受光した可視光を解析し、ユーザに対して配信情報を報知する手段を有することを特徴とする。
【０００８】
請求項２記載の発明は、請求項１記載の発明において、情報配信サーバは、少なくとも１以上の情報提供装置から配信情報を取得することを特徴とする。
【０００９】
請求項３記載の発明は、請求項１又は２記載の発明において、照明制御装置は、中継装置及び無線基地局を介して配信情報を受信することを特徴とする。
【００１０】
請求項４記載の発明は、請求項１から３のいずれか１項に記載の発明において、照明制御装置は、情報配信サーバから配信情報を受信する情報通信部と、情報通信部が受信した配信情報、配信情報の配信基準である情報配信テーブル、照明装置を制御するための制御信号に関する照明制御情報、制御対象となる照明装置の設置位置を示す位置情報、配信情報に付加する付加情報、を格納する記憶部と、照明装置への制御信号の出力制御を行う照明装置通信部と、各部を制御する制御部と、を有することを特徴とする。
【００１１】
請求項５記載の発明は、請求項４記載の発明において、照明制御装置の制御部は、通信ネットワークを介して配信情報を受信した場合、配信情報及び情報配信テーブルに基づいて、緊急事態の事象内容と、緊急事態の事象発生位置とを判定して、照明装置による可視光の送信の要否を判定することを特徴とする。
【００１２】
請求項６記載の発明は、請求項４又は５記載の発明において、照明制御装置の制御部は、配信情報及び位置情報に基づいて、照明装置と緊急事態の事象発生位置との距離、又は、照明装置の設置位置を認識し、照明装置による可視光の送信の要否を判定することを特徴とする。
【００１３】
請求項７記載の発明は、請求項４から６のいずれか１項に記載の発明において、照明制御装置の制御部は、記憶部から読み出した付加情報を配信情報に付加し、配信情報及び付加情報を含む制御信号を照明装置通信部から照明装置へ送信するよう制御することを特徴とする。
【００１４】
請求項８記載の発明は、請求項１から７のいずれか１項に記載の発明において、照明装置は、照明制御装置からの制御信号に基づき、単色又は複数色のＬＥＤを高周波点滅させることにより、照明光と信号光とからなる可視光を携帯通信端末へ送信することを特徴とする。
【００１５】
請求項９記載の発明は、請求項１から８のいずれか１項に記載の発明において、照明装置は、所定の波長又は波長帯を取り除く手段を有し、取り除いた所定の波長又は波長帯を信号光とすることを特徴とする。
【００１６】
請求項１０記載の発明は、請求項８又は９記載の発明において、可視光の変調は、強度変調又は位相変調のうちいずれか一方であることを特徴とする。
【００１７】
請求項１１記載の発明は、請求項１から１０のいずれか１項に記載の発明において、携帯通信端末は、可視光の信号光を解析する解析部と、文字又は画像の表示出力を行う表示部と、音声を外部出力する放音部と、を有し、解析部により可視光の信号光を解析することにより、表示部及び／又は放音部を介して、配信情報を報知することを特徴とする。
【００１８】
請求項１２記載の発明は、請求項１１記載の発明において、解析部により可視光の信号光を解析することにより、表示部及び／又は放音部は、可視光として受信した付加情報を報知することを特徴とする。
【００１９】
請求項１３記載の発明は、請求項１から１２のいずれか１項に記載の発明において、携帯通信端末は、画像情報の取得を行う撮像部を有し、撮像部は、照明装置から可視光を受光する受光部として機能することを特徴とする。
【００２０】
請求項１４記載の発明は、請求項１から１３のいずれか１項に記載の発明において、携帯通信端末は、照明装置から受光した可視光を受光する受光部を有し、受光部は、可視光から信号光のみを取得するための波長選択フィルタを有することを特徴とする。
【００２１】
請求項１５記載の発明は、請求項１から１４のいずれか１項に記載の発明において、携帯通信端末は、無線部の信号受信により無線通信圏外か否かを判定する第１の判定部と、無線通信圏外である場合は、記憶部を参照して事前のユーザ設定により、無線通信圏外時に可視光を受信する可視光通信設定がなされているか否かを判定する第２の判定部と、を有し、第１の判定部及び第２の判定部の結果が、無線通信圏外かつ可視光通信設定有効である場合は、受光部を起動して照明装置から可視光を受光することを特徴とする。
【００２２】
請求項１６記載の発明は、請求項１１から１５のいずれか１項に記載の発明において、解析部によって可視光の信号光を解析した結果が、前回の解析結果と同一の情報であった場合、配信情報の報知を行わないように制御する第１の制御部を有することを特徴とする。
【００２３】
請求項１７記載の発明は、請求項１１から１６のいずれか１項に記載の発明において、解析部によって可視光の信号光を解析した際に、携帯通信端末がマナーモード設定となっている場合には、マナーモード設定の解除を行うとともに、放音部の出力設定を最大音量に設定する第２の制御部を有することを特徴とする。
【００２４】
請求項１８記載の発明は、請求項１３から１５のいずれか１項に記載の発明において、受光部は、フォトダイオード、ＰＩＮフォトダイオード、アバランシェフォトダイオードのうちのいずれかを備えることを特徴とする。
【００２５】
請求項１９記載の発明は、情報配信サーバと通信ネットワークを介して接続され、かつ、無線通信圏内に設置され、プログラム制御により動作し、照明装置を制御する照明制御装置であって、情報配信サーバから配信情報を受信する情報通信部と、情報通信部が受信した配信情報、配信情報の配信基準である情報配信テーブル、照明装置を制御するための制御信号に関する照明制御情報、制御対象となる照明装置の設置位置を示す位置情報、配信情報に付加する付加情報、を格納する記憶部と、照明装置への制御信号の出力制御を行う照明装置通信部と、各部を制御する制御部と、を有することを特徴とする。
【００２６】
請求項２０記載の発明は、請求項１９記載の発明において、情報通信部は、中継装置及び無線基地局を介して配信情報を受信することを特徴とする。
【００２７】
請求項２１記載の発明は、請求項１９又は２０記載の発明において、制御部は、通信ネットワークを介して配信情報を受信した場合、配信情報及び情報配信テーブルに基づいて、緊急事態の事象内容と、緊急事態の事象発生位置とを判定して、照明装置による可視光の送信の要否を判定することを特徴とする。
【００２８】
請求項２２記載の発明は、請求項１９から２１のいずれか１項に記載の発明において、制御部は、配信情報及び位置情報に基づいて、照明装置と緊急事態の事象発生位置との距離、又は、照明装置の設置位置を認識し、照明装置による可視光の送信の要否を判定することを特徴とする。
【００２９】
請求項２３記載の発明は、請求項１９から２２のいずれか１項に記載の発明において、制御部は、記憶部から読み出した付加情報を配信情報に付加し、配信情報及び付加情報を含む制御信号を照明装置通信部から照明装置へ送信するよう制御することを特徴とする。
【００３０】
請求項２４記載の発明は、インターネット通信機能を有する携帯通信端末であって、照明装置から可視光を受光する受光部と、可視光の信号光を解析する解析部と、文字又は画像の表示出力を行う表示部と、音声を外部出力する放音部と、を有し、解析部により可視光の信号光を解析することにより、表示部及び／又は放音部を介して、配信情報を報知することを特徴とする。
【００３１】
請求項２５記載の発明は、請求項２４記載の発明において、解析部により可視光の信号光を解析することにより、表示部及び／又は放音部は、可視光として受信した付加情報を報知することを特徴とする。
【００３２】
請求項２６記載の発明は、請求項２４又は２５記載の発明において、画像情報の取得を行う撮像部を有し、撮像部は、照明装置から可視光を受光する受光部として機能することを特徴とする。
【００３３】
請求項２７記載の発明は、請求項２４から２６のいずれか１項に記載の発明において、受光部は、可視光から信号光のみを取得するための波長選択フィルタを有することを特徴とする。
【００３４】
請求項２８記載の発明は、請求項２４から２７のいずれか１項に記載の発明において、無線信号の受信により無線通信圏外か否かを判定する第１の判定部と、無線通信圏外である場合は、各種情報を保持する記憶部を参照して事前のユーザ設定により、無線通信圏外時に可視光を受信する可視光通信設定がなされているか否かを判定する第２の判定部と、を有し、第１の判定部及び第２の判定部の結果が、無線通信圏外かつ可視光通信設定有効である場合は、受光部を起動して照明装置から可視光を受光することを特徴とする。
【００３５】
請求項２９記載の発明は、請求項２４から２８のいずれか１項に記載の発明において、解析部によって可視光の信号光を解析した結果が、前回の解析結果と同一の情報であった場合、配信情報の報知を行わないように制御する第１の制御部を有することを特徴とする。
【００３６】
請求項３０記載の発明は、請求項２４から２９のいずれか１項に記載の発明において、解析部によって可視光の信号光を解析した際に、携帯通信端末がマナーモード設定となっている場合には、マナーモード設定の解除を行うとともに、放音部の出力設定を最大音量に設定する第２の制御部を有することを特徴とする。
【００３７】
請求項３１記載の発明は、請求項２４から３０のいずれか１項に記載の発明において、受光部は、フォトダイオード、ＰＩＮフォトダイオード、アバランシェフォトダイオードのうちのいずれかを備えることを特徴とする。
【００３８】
請求項３２記載の発明は、請求項１から８のいずれか１項に記載の発明において、プログラム制御により動作する情報処理装置である情報配信サーバと、情報配信サーバと通信ネットワークを介して接続され、かつ、無線通信圏内に設置され、プログラム制御により動作する情報処理装置である照明制御装置と、無線通信圏外に設置される、少なくとも１以上の照明装置と、少なくとも１以上の携帯通信端末と、で行う情報配信方法であって、情報配信サーバは、配信情報を照明制御装置へ送信し、照明制御装置は、情報配信サーバから受信した配信情報を含み、かつ、照明装置を制御するための制御信号を送信し、照明装置は、照明制御装置から受信した制御信号により制御され、制御信号に含まれる配信情報を可視光として送信し、携帯通信端末は、無線通信圏外において、照明装置から可視光を一定時間間隔で受光し、受光した可視光を解析し、ユーザに対して配信情報を報知することを特徴とする。
【００３９】
請求項３３記載の発明は、請求項３２記載の発明において、情報配信サーバは、少なくとも１以上の情報提供装置から配信情報を取得することを特徴とする。
【００４０】
請求項３４記載の発明は、請求項３２又は３３記載の発明において、照明制御装置は、中継装置及び無線基地局を介して配信情報を受信することを特徴とする。
【００４１】
請求項３５記載の発明は、請求項３２から３５のいずれか１項に記載の発明において、照明制御装置は、通信ネットワークを介して配信情報を受信した場合、配信情報及び配信情報の配信基準である情報配信テーブルに基づいて、緊急事態の事象内容と、緊急事態の事象発生位置とを判定して、照明装置による可視光の送信の要否を判定することを特徴とする。
【００４２】
請求項３６記載の発明は、請求項３２から３５のいずれか１項に記載の発明において、照明制御装置は、配信情報及び制御対象となる照明装置の設置位置を示す位置情報に基づいて、照明装置と緊急事態の事象発生位置との距離、又は、照明装置の設置位置を認識し、照明装置による可視光の送信の要否を判定することを特徴とする。
【００４３】
請求項３７記載の発明は、請求項３２から３５のいずれか１項に記載の発明において、照明制御装置は、付加情報を配信情報に付加し、配信情報及び付加情報を含む制御信号を照明装置通信部から照明装置へ送信することを特徴とする。
【００４４】
請求項３８記載の発明は、請求項３２から３７のいずれか１項に記載の発明において、照明装置は、照明制御装置からの制御信号に基づき、単色又は複数色のＬＥＤを高周波点滅させることにより、照明光と信号光とからなる可視光を携帯通信端末へ送信することを特徴とする。
【００４５】
請求項３９記載の発明は、請求項３２から３８のいずれか１項に記載の発明において、照明装置は、所定の波長又は波長帯を取り除き、取り除いた所定の波長又は波長帯を信号光とすることを特徴とする。
【００４６】
請求項４０記載の発明は、請求項３８又は３９記載の発明において、可視光の変調は、強度変調又は位相変調のうちいずれか一方であることを特徴とする。
【００４７】
請求項４１記載の発明は、請求項３２から４０のいずれか１項に記載の発明において、携帯通信端末は、可視光の信号光を解析し、解析結果に基づいて、文字又は画像の表示出力及び／又は音声を外部出力することにより、配信情報を報知することを特徴とする。
【００４８】
請求項４２記載の発明は、請求項４１記載の発明において、可視光の信号光を解析し、解析結果に基づいて、文字又は画像の表示出力及び／又は音声を外部出力することにより、可視光として受信した付加情報を報知することを特徴とする。
【００４９】
請求項４３記載の発明は、請求項３２から４２のいずれか１項に記載の発明において、携帯通信端末は、画像情報の取得を行う撮像部にて、照明装置から可視光を受光することを特徴とする。
【００５０】
請求項４４記載の発明は、請求項３２から４３のいずれか１項に記載の発明において、携帯通信端末は、照明装置から受光した可視光から信号光のみを取得することを特徴とする。
【００５１】
請求項４５記載の発明は、請求項３２から４４のいずれか１項に記載の発明において、携帯通信端末は、無線部の信号受信により無線通信圏外か否かを判定し、無線通信圏外である場合は、記憶部を参照して事前のユーザ設定により、無線通信圏外時に可視光を受信する可視光通信設定がなされているか否かを判定し、判定結果が、無線通信圏外かつ可視光通信設定有効である場合は、照明装置から可視光を受光することを特徴とする。
【００５２】
請求項４６記載の発明は、請求項３２から４５のいずれか１項に記載の発明において、可視光の信号光を解析した結果が、前回の解析結果と同一の情報であった場合、配信情報の報知を行わないように制御することを特徴とする。
【００５３】
請求項４７記載の発明は、請求項３２から４６のいずれか１項に記載の発明において、可視光の信号光を解析した際に、携帯通信端末がマナーモード設定となっている場合には、マナーモード設定の解除を行うとともに、放音の出力設定を最大音量に設定することを特徴とする。
【発明の効果】
【００５４】
本発明によれば、無線通信可能が不可能なエリアに存在する携帯通信端末に対して、災害に関する緊急警報等の重要情報の配信を行うことができる。
【発明を実施するための最良の形態】
【００５５】
以下、本発明を実施するための最良の形態について添付図面を参照して詳細に説明する。
【実施例】
【００５６】
〈実施例の特徴〉
本実施例の情報配信システムは、無線基地局（電波）を介して情報を受け取れる場所（携帯電話通信可能エリア内）では無線通信により情報配信を行い、無線基地局（電波）を介して情報を受け取れない場所（携帯電話通信可能エリア外）では、情報転送された照明装置等（可視光源）からの可視光に配信情報及び付加情報をのせて携帯通信端末へ情報配信を行う。そして、可視光により情報配信を行う場合、可視光源である照明装置等から携帯通信端末への一方向情報送信（下り）のみとし（携帯通信端末からの上りの情報発信は行えない）、緊急警報等の公共性のある情報を下り情報のみで配信することを特徴とする。
【００５７】
〈実施例の構成〉
本発明の一実施例である、携帯通信端末を用いた情報配信システムについて、図面を参照して詳細に説明する。図１に示すように、本実施例の情報配信システムは、少なくとも１以上の携帯通信端末１００と、少なくとも１以上のＬＥＤ照明装置２００ａ,ｂ,ｃと、照明制御装置３００と、中継装置４００と、携帯電話基地局（無線基地局）７００と、通信ネットワーク６００と、情報配信サーバ５００と、情報提供装置５５０ａ,ｂ,ｃと、を有する。
【００５８】
携帯通信端末１００は、プログラム制御により動作し、携帯電話通信可能エリア内において携帯電話基地局７００、及び携帯電話基地局７００を介する通信ネットワーク６００との接続が可能な携帯電話機やＰＤＡなどの移動体通信端末である。なお、本実施例では、携帯通信端末１００として携帯電話を例に説明するが、これに限定されるものではない。
【００５９】
更に、図２及び図３を参照して詳細に説明すると、本実施例の携帯通信端末１００は、上部筐体と下部筐体がヒンジを介して開閉可能に結合された折畳み型携帯電話端末であって、アンテナを介して無線基地局との間で無線信号を送受する無線部１０１と、上部筐体内面／外面に配設され、画像情報の取得（撮影）を行う撮像部１０２（図３，１０２ａ／１０２ｂ）と、上部筐体内面／外面に配設され文字、画像などの各種情報表示出力を行う表示部１０３（図３，１０３ａ／１０３ｂ）と、下側筐体内面に配設された各種情報操作入力を行う、テンキー、スクロール／決定キー及び下側筐体側面に配設され上部筐体と下部筐体が閉じた状態でも操作可能なサイドボタンを含み構成される操作部１０４（図３，１０４ａ／１０４ｂ／１０４ｃ）と、音声信号処理を行う送受話部１０５への入力、出力を行うマイク１０７及び受話用スピーカ１０６と、楽音、報知音などを出力する外部報知用スピーカ（放音部）１０８と、電話帳情報、送受信メール情報、発着呼情報、携帯電話端末の各種設定、プログラム情報などを格納する記憶部１０９と、記憶部１０９から読み出したプログラムに基づいて、電話機能、メール機能、ｗｅｂ接続（インターネット接続）機能、カメラ機能、可視光による情報取得／出力機能、及び携帯通信端末の各種機能設定、携帯電話端末各部の制御を行う制御部１１０と、を有する。
【００６０】
そして、本実施例の携帯通信端末１００の撮像部１０２は、各ＬＥＤ照明装置２００からの可視光を受光する受光部として機能する。受光素子としては、例えば、フォトダイオード（ＰＤ）、ＰＩＮフォトダイオード（Ｐｉｎ−ＰＤ）、アバランシェフォトダイオード（ＡＰＤ）等が適用できる。また、受光した可視光（照明光と信号光とからなる）から信号光のみを取得するための波長選択フィルタを受光部に備える。なお、本実施例では、撮像部１０２で可視光を受光する構成としたが、これに限られず、撮像部１０２とは別に受光部を携帯電話の所定の位置に設けてもよい。
【００６１】
ＬＥＤ照明装置２００は、携帯電話通信可能エリア外、例えば建物内に設置された照明装置であって、照明制御装置３００からの制御信号に基づき、ＬＥＤを高周波点滅（高速でＬＥＤをＯＮ／ＯＦＦ）させることにより、配信情報や付加情報を信号光として含む可視光を携帯通信端末へ送信する機能を備えている。また、ＬＥＤ光源（発光色）としては、単色であっても、或いは複数色（白、赤、青、緑）を備えていても良い。なお、本実施例では、３つの照明制御装置３００ａ,ｂ,ｃを携帯電話通信可能エリア外に備える構成としたが、数はこれに限定されない。
【００６２】
ここで、一般的に携帯通信端末におけるＣＣＤやＣＭＯＳセンサ等の撮像素子は、高速な変調光を受信することは難しい。その理由は、可視光において、基準となるレベル、すなわち光強度ＤＣ（直流）成分が変調光成分に対して大きいとなると、変調光成分が相対的に小さくなり、仮に受光部のダイナミックレンジが大きいとしても、ノイズ成分等を原因として変調光成分の信号品質が劣化するからである。
【００６３】
本実施例のＬＥＤ照明装置２００は、所定の波長又は波長帯を取り除く機能を有する。そして、本実施例では、取り除いた所定の波長又は波長帯を信号光とする。一方、携帯通信端末１００の受光部に波長選択フィルタを設け、この波長選択フィルタでカットすることにより、受光した可視光から信号光のみを取り出す。このようにすることで、変調光成分のみが全体の光に対して相対的に小さくなるという問題はなくなる。本実施例のＬＥＤ照明装置２００は、所定の波長又は波長帯を取り除くことにより光強度ＤＣ成分と変調光成分との比率を自由に設定できるので、高品質な信号のやりとりが可能となる。
【００６４】
よって、本実施例では、信号光を特定の狭い波長域とし、照明光を人間の目には白色に見えるようにすることができる。もちろん、照明光を緑、信号光を赤にしたり、照明光及び信号光の両方を同様に波長域を制限したりすることも可能である。
【００６５】
また、本実施例では、可視光（照明光＋信号光）全体の色の変化を、人間が色の変化を感じ取れる以下に抑えるために、照明光に対する信号光の強度を制限して、人が色の変化を意識することがないように設定することができる。
【００６６】
本実施例における可視光の変調は、単純な強度変調でも、携帯電話等の無線通信で用いられている位相変調（ＰＳＫ）でもよい。位相変調の場合は、位相が検出できる変調周波数にする必要がある。
【００６７】
照明制御装置３００は、プログラム制御により動作するパーソナルコンピュータやワークステーション・サーバ等の情報処理装置であって、携帯電話通信可能エリア内に設置され、携帯電話基地局７００及び中継装置４００を介して（図１[１]）、或いは通信ネットワーク６００を介して（図１[２]）配信情報を受信し、それら配信情報に基づいて制御信号をＬＥＤ照明装置２００に送信し、ＬＥＤ照明装置２００を制御する機能を備えている。本実施例における制御信号は、各ＬＥＤ照明装置２００を制御するための制御信号であるとともに、情報配信サーバから受信した配信情報や記憶部に保持される付加情報を信号化して含む。
【００６８】
更に図４を参照して詳細に説明すると、本実施例の照明制御装置３００は、携帯電話基地局７００及び中継装置４００を介して（図１[１]）、或いは通信ネットワーク６００を介して（図１[２]）配信情報の受信を行う情報通信部３０１と、情報通信部３０１が受信した配信情報、情報配信の基準を示す情報配信テーブル（以下、ＴＢという）、各ＬＥＤ照明装置２００を制御するための制御信号に関する照明制御情報、制御対象となるＬＥＤ照明装置の設置位置を示す位置情報、配信情報に関する補助的な情報であり、配信情報に付加する各種付加情報、などの各情報を格納する記憶部３０３と、ＬＥＤ照明装置２００への制御信号の出力制御を行う照明装置通信部３０２と、照明制御装置３００の各部を制御する制御部３０４と、を有する。
【００６９】
情報配信サーバ５００は、プログラム制御により動作するワークステーション・サーバ等の情報処理装置であり、各情報提供装置５５０ａ,ｂ,ｃから、配信情報として、例えば、地震、火事、事故などについての緊急情報や警告情報を受信し、通信ネットワーク６００を介して、緊急情報や警告情報を配信情報として照明制御装置３００に配信する機能を備えている。なお、本実施例では、３つの情報提供装置５５０ａ,ｂ,ｃを備える構成としたが、数はこれに限定されない。
【００７０】
〈実施例の動作の説明〉
次に、本実施例の携帯通信端末１００の動作について、図５を参照して説明する。
本実施例の携帯通信端末１００は、無線通信圏外（携帯電話通信可能エリア外）において、一定時間間隔でＬＥＤ照明装置２００からの可視光を受光し、波長選択フィルタにより可視光から信号光を取得する機能を備えている。
【００７１】
まず、携帯通信端末１００の制御部１１０は、無線部１０１を介する信号受信により、現在の位置が無線通信圏外か否かを判定する（ステップＳ５０１）。無線通信圏外である場合は、記憶部１０９を参照して事前のユーザ設定により可視光通信設定（圏外時に可視光信号を受信する設定）がなされているか否かを判定する（ステップＳ５０２）。
【００７２】
無線通信圏外、かつ可視光通信設定が有効である場合は、制御部１１０は撮像部１０２を起動する（ステップＳ５０３）。なお、撮像部１０２は、折畳み型携帯電話機の開閉状態を、上／下筐体に配設したマグネット／磁気検出素子などにより検出する開閉検出部（図示なし）を備える場合は、内面側撮像部１０２ａ（開状態）、或いは外面側撮像部１０２ｂ（閉状態）の一方のみを選択起動するようにしてもよい。
【００７３】
次に、携帯通信端末１００の制御部１１０は、ＬＥＤ照明装置２００からの可視光を撮像部１０２にて受光し、受光部の波長選択フィルタにより可視光から信号光の取得（受信）を行い（ステップＳ５０４）、信号光を復調（解析）して配信情報の出力（表示部１０３への表示出力、及び／またはスピーカ１０８への音声出力）を行う（ステップＳ５０５、Ｓ５１０）。
【００７４】
また、携帯通信端末１００は、無線通信圏外（携帯電話通信可能エリア外）において、予め設定された一定時間間隔で可視光を受信し、信号光の取得を行い、受信した信号光を復調（解析）した結果が前回と同一の配信情報であれば情報の出力は行わない（ステップＳ５０６）。
【００７５】
また、携帯通信端末１００の制御部１１０は、信号光を復調（解析）して情報出力（表示部１０３への表示出力、及び／またはスピーカ１０８への音声出力）を行う際に、携帯通信端末１００の設定がマナーモードなどのスピーカ１０８から報知音を出力しない設定となっていた場合には、マナーモード設定の解除を行い（ステップＳ５０７〜Ｓ５０８）、また、報知出力設定を、設定されている報知態様とは異なる報知出力に変更（例えば、スピーカ１０８からの報知音出力を最大音量とする、又は、報知時の表示部１０３ａ／１０３ｂの表示出力を点滅させる等）して報知を行い（ステップＳ５０９）、緊急警報等の情報や付加情報の出力を行う（ステップＳ５１０）。
【００７６】
次に、照明制御装置３００の動作について、図６を参照して説明する。
照明制御装置３００の制御部３０４は、中継装置４００、或いは通信ネットワーク６００を介して配信情報を受信すると、配信情報（地震、火事、事故などの緊急情報や警告情報）に含まれる情報に基づいて、緊急事態の事象内容とその事象の発生位置を判定し、ＬＥＤ照明装置２００による可視光送信の要否を判定する（ステップＳ６０１〜Ｓ６０３）。例えば、地震、火事、事故などの緊急事態の事象毎に、照明装置と事象発生位置との距離に応じて、可視光送信をする／しないの基準が記憶部３０３の情報配信ＴＢに格納されており、制御部３０４は、この情報配信ＴＢを参照して携帯通信端末１００への送信の要否を判定する。
【００７７】
また、記憶部３０３には、ＬＥＤ照明装置２００の設置場所の位置情報も格納されており、各ＬＥＤ照明装置２００の事象発生位置からの距離に応じて、或いはＬＥＤ照明装置２００の設置された位置（例えば、通路／出入口に設置されている照明装置の位置、各フロアに設置されている照明装置の位置）を認識し、その距離や位置に応じて、可視光の送信の要否の判定を行う（ステップＳ６０４）。また、発生した緊急事態の事象（地震、火事、事故など）によっては、配信情報に関する補助的な付加情報として、例えば、当該エリア近辺の地図情報（避難場所情報）を記憶部３０３から読み出して配信情報に付加し、配信情報と付加情報を含む制御信号を照明装置に送信するようにしてもよい（ステップＳ６０５〜Ｓ６０６）。
【００７８】
最後に、ＬＥＤ照明装置２００に対して、ＬＥＤを高周波点滅（高速でＬＥＤをＯＮ／ＯＦＦ）させる制御信号が照明装置通信部３０２を介して各ＬＥＤ照明装置２００に送信され、各ＬＥＤ照明装置２００の制御、すなわち、各ＬＥＤ照明装置２００から携帯通信端末１００へ可視光の送信（出射）が行われる（ステップＳ６０７）。
【００７９】
〈実施例の効果〉
本実施例によれば、電波が届かない携帯電話通信可能エリア外においても、緊急情報や警報を携帯電話機などの携帯通信端末に配信することが可能である。従って、携帯電話通信可能エリア外に存在する携帯通信端末に対しても、緊急警報等の重要な情報の配信を行うことができるという点において、大変有益なシステムであり、応用サービスも多いと考える。また、携帯電話キャリア、端末メーカにとっても、緊急度の高い情報を受信率高く配信可能であるという点で、安全への貢献という点で企業イメージＵＰのメリットがある。
【００８０】
以上、本発明の実施例について説明したが、上記実施例に限定されるものではなく、その要旨を逸脱しない範囲において種々の変形が可能である。
【図面の簡単な説明】
【００８１】
【図１】本発明の実施例である情報配信システムの全体構成を模式的に示す図である。
【図２】本発明の実施例に係る携帯通信端末１００の内部構成を示すブロック図である。
【図３】本発明の実施例に係る携帯通信端末１００の正面外観及び背面外観を模式的に示す図である。
【図４】本発明の実施例に係る照明制御装置３００の内部構成を示すブロック図である。
【図５】本発明の実施例に係る携帯通信端末１００の処理動作を示すフローチャートである。
【図６】本発明の実施例に係る照明制御装置３００の処理動作を示すフローチャートである。
【符号の説明】
【００８２】
１００    携帯通信端末
１０１    無線部
１０２    撮像部
１０２ａ    撮像部（内側）
１０２ｂ    撮像部（外側）
１０３    表示部
１０４    操作部
１０４ａ    操作部（決定ボタン部）
１０４ｂ    操作部（テンキーボタン部）
１０４ｃ    操作部（サイドボタン部）
１０５    送受話部
１０６    受話用スピーカ
１０７    マイク
１０８    外部報知用スピーカ（放音部）
１０９    記憶部
１１０    制御部（解析部、第１の判定部、第２の判定部、第１の制御部、第２の制御部）
２００ａ,ｂ,ｃ    ＬＥＤ照明装置
３００    照明制御装置
３０１    情報通信部
３０２    照明装置通信部
３０３    記憶部
３０４    制御部
４００    中継装置
５００    情報配信サーバ
５５０ａ,ｂ,ｃ    情報提供装置
６００    通信ネットワーク
７００    携帯電話基地局
【図１】
2006135859.tif 000003
【図２】
2006135859.tif 000004
【図３】
2006135859.tif 000005
【図４】
2006135859.tif 000006
【図５】
2006135859.tif 000007
【図６】
2006135859.tif 000008